(57)【特許請求の範囲】
【請求項１】
軸心にフェルールを配設したプラグフレームを、接続アダプタ内に突設したバネ性を有する係合片先端の係合突部と係合する係合溝部を先端外側面に形成して接続アダプタに挿入保持自在となし、一方、ツマミ本体は、プラグフレーム外側に軸方向へ抜き差し自在に形成し、該ツマミ本体とプラグフレームとの挿入状態にて接続アダプタに対し挿入保持及び抜去自在に、前記係合突部と係合溝部との係合解除機構をツマミ本体の先端部に設けたものであって、該係合解除機構は、前後両方向へ対称に傾斜下降する２つの傾斜面を有する突設部にて形成されていることを特徴とするプラグ抜去ツマミ。
【発明の詳細な説明】
【０００１】
【発明の属する技術分野】
本発明は、接続アダプタの両側からプラグインしてプラグ同志、つまりファイバ心線同志を端面にて突き合わせ接続し、両ファイバ心線の軸ずれ、角度ずれ、端面のフルネル反射損失と反射戻り光の影響、接続により生ずるモード変換の損失、その他光コネクタの接続損失等を測定する際に適用されるプラグ抜去ツマミに関する。
【０００２】
【従来の技術】
従来、光コネクタのプラグには、接続アダプタに対する抜去を手動操作によって行なう、所謂手操作着脱タイプのものと、工具を用いて行なう、所謂、工具着脱タイプのものがある。
【０００３】
手操作着脱タイプは、軸心にフェルールを配設したプラグフレームの外側にツマミを軸方向へスライド自在に組み込み、引き抜き方向へツマミをスライド操作することで、プラグフレームに形成された係合溝部と、接続アダプタの係合片に突設された係合突部との係合を解除することによって、当該プラグを接続アダプタから抜去するように構成されている。
【０００４】
一方、上記工具着脱タイプは、図示しない専用工具を用いて接続アダプタの係合片を、バネ性に抗して押し拡げることで係合突部と係合溝部との係合を解除することによって、当該プラグを接続アダプタから抜去するように構成されている。
【０００５】
【発明が解決しようとする課題】
しかし乍ら、上記した手操作着脱タイプのプラグは、プラグフレームにツマミを外装した状態で組み込んでなるため、パーツ数が多く、組み立て工程も多くなり、製造コストがアップする等の問題があった。
【０００６】
一方、上記した工具着脱タイプでは、専用工具が必要である上、該工具によって係合片をバネ性に抗して押し拡げる際、当該係合片や割スリーブ等が機械的に破損しないよう注意しなければならないので、作業が面倒で時間がかゝる等の問題があった。
【０００７】
本発明は、上記した従来技術が有するこのような問題点に鑑みてなされたもので、接続アダプタの係合片における係合突部と、プラグフレームの係合溝部との係合解除機構を設けたツマミ本体を、上記プラグフレームに抜き差し自在に外装することで、プラグ同志の接続損失等をテストする際は、接続アダプタに対するプラグの挿入保持及び抜去を容易にすると共に、接続アダプタに対しプラグは単独で挿入保持して実装できることから、従来の手操作着脱タイプにおけるツマミを排除でき、プラグ自体の簡略化により製造コストをダウンできるようにした光コネクタ用のプラグ抜去ツマミを提供することを目的とする。
【０００８】
【課題を解決するための手段】
上記目的を達成するために、本発明のプラグ抜去ツマミは、軸心にフェルールを配設したプラグフレームを、接続アダプタ内に突設したバネ性を有する係合片先端の係合突部と係合する係合溝部を先端外側面に形成して接続アダプタに挿入保持自在となし、一方、ツマミ本体は、プラグフレーム外側に軸方向へ抜き差し自在に形成し、該ツマミ本体とプラグフレームとの挿入状態にて接続アダプタに対し挿入保持及び抜去自在に、前記係合突部と係合溝部との係合解除機構をツマミ本体の先端部に設けたことを特徴としている。
【０００９】
軸心に、フェルールが組み込まれているプラグフレームの先端部にツマミ本体を外装する。
この時、プラグフレーム先端近傍外側に形成した係合溝部の前方部位に、ツマミ本体の先端部に設けた係合突部と係合溝部の係合解除機構が位置されるよう、上記プラグフレームとツマミ本体とは軸回り方向に方向性を有して嵌合される。
【００１０】
上記した状態にてプラグフレームとともにツマミ本体を接続アダプタ内に対し軸方向へ押し込むと、該接続アダプタ内周面から軸方向へ長く、かつ中心方向へ傾斜して対向突設された二個一対の係合片先端における係合突部と、ツマミ本体の係合解除機構における先端側の傾斜面が突き当り、押し込み力によって上記一対の係合片はバネ性に抗して外側へ押し拡げられる。
【００１１】
さらに、プラグフレーム、ツマミ本体を押し込んでいくと、接続アダプタの一対の係合片における係合突部が、上記係合解除機構上に乗り上った後、該係合解除機構の基端に上記傾斜面と反対に傾斜形成された傾斜面に沿って中心方向へ下降し、プラグフレームの外側面に形成された係合溝部にバネ性により係合されることによってフェルールの端面が接続アダプタの反対側に既挿入の他のプラグにおけるフェルール端面に突き当り、フェルール先端同志にバネによる押圧力がかゝる位置、つまり光学基準位置まで挿入されて保持される。
【００１２】
両プラグの接続損失等を測定後、ツマミ本体を引き抜き方向へスライドすると、該ツマミ本体先端の係合解除機構、つまり、前部外側から後方中心方向へ傾斜形成されている傾斜面によって接続アダプタの一対の係合片は、そのバネ性に抗して外側へ押し拡げられることにより、前記係合片の係合突部はプラグフレームの係合溝部から脱出し、接続アダプタとプラグフレームとの係合は解除され、引き抜き操作により、プラグをツマミ本体と共に接続アダプタから抜去することができる。
【００１３】
【発明の実施の形態】
以下、本発明の実施の形態について図面を参照して説明する。
図１は、接続アダプタに、従来の手操作着脱タイプのプラグと、本発明のプラグ抜去ツマミによってプラグを各々挿入保持した状態の縦断面図を示し、図２（Ａ）、（Ｂ）、（Ｃ）は本発明のプラグ抜去ツマミの縦断面図と、平面図と、右側面図を各々示し、図３はプラグの一部を断面した側面図を示し、図４は、接続アダプタの一方に既知の手操作着脱タイプのプラグを挿入保持し、接続アダプタの他方に本発明のプラグ抜去ツマミを用いてプラグを挿入固定する状態の縦断面図を示す。
【００１４】
図１及び図２（Ａ）、（Ｂ）、（Ｃ）並びに図４に示したように、プラグ抜去ツマミ１は、接続アダプタ２のプラグ挿入用孔３にその軸回り方向へ方向性を有して抜き差し自在な四角筒状とした本体１ａと、この本体１ａの基端から上下対称に突設した板状の指掛け片１ｂとで一体に構成されている。
【００１５】
上記本体１ａは、対設されている頂壁４と底壁５の軸方向（長さ方向）における略中間部から先端近くまでに、後述する上下一対の係合片が挿入されるための挿入孔６、６を軸方向に長く貫通形成させてあると共に、該各挿入孔６、６の左右の開口縁６ａ、６ａに切欠部６ｂ、６ｂを形成することで、一方の開口縁６ａの先端上面に、後述する係合突部と係合溝部との係合解除機構７を突設させてある。
【００１６】
上記係合解除機構７は、中央部の突設部７ａと、該突設部７ａより前後両方向へ対称に傾斜下降する２つの傾斜面７ｂ、７ｃとで構成されている。
【００１７】
さらに、上記本体１ａは、一方の側壁表面に突条８を軸方向へ長く突設させてあり、該突条８を、図４に示した如く、接続アダプタ２のプラグ挿入用孔３における一方の側面に軸方向へ長く形成した凹溝３ａに嵌合することで、接続アダプタ２に対してツマミ本体１ａは所定の向きに挿入される。
【００１８】
図１及び図３並びに図４に示したように、プラグ９は、光ファイバコード１０を挿通保持する図示しないキャピラリを内蔵したフェルール１１と、フェルール１１の後部に外装され、該フェルール１１を前方へ押し出し付勢するコイルスプリング１２と、コイルスプリング１２の後端と内接する筒状の段付きストップリング１３と、ストップリング１３に嵌合してフェルール１１の動きを規制するプラグフレーム１４と、ストップリング１３の後端に光ファイバコード１０のケプラをカシメ固定するカシメリング（図示しない）と、カシメリングに冠着するゴムホルダ１５等で構成されている。
【００１９】
上記プラグフレーム１４は、先端近くの上下両側面に、接続アダプタ２の後述する２個一対の係合片における係合突部を係脱自在に係合するための係合溝部１６、１６を設けてある。
この両係合溝部１６、１６は、垂直な係合面１６ａと、水平な底面１６ｂ、底面１６ｂから後方外側へ傾斜上昇して設けられている傾斜面１６ｃとにより形成されている。
【００２０】
さらに、上記プラグフレーム１４は、既述したツマミ１のプラグ挿入孔１７に対し、所定向きに挿入されるよう軸回り方向に対して方向性を持たせてあるもので、この方向性を得るための手段としては、図示例では、図２（Ａ）、（Ｃ）に示した如く、プラグ挿入孔１７の一側壁に凹溝１７ａを軸方向へ長く形成し、一方、プラグフレーム１４の外側面に図示しない突条を軸方向へ長く突設し、上記凹溝１７ａと突条を係合する構成としてあるが、これに限定されることなく、公知の手段を採用することができる。
【００２１】
図１及び図４に示したように、接続アダプタ２は既知の如く、ハウジング１８内の中間部に、両側からフェルール１１、１１が挿入される割スリーブ１９を配設させてあると共に、ハウジング１８のプラグ挿入用孔３における左右両側には、各々上下一対のバネ性を有する係合片２０、２０、２１、２１を傾斜突設させてあり、該各係合片２０、２０、２１、２１の先端内面には、プラグ９、９ａを挿入位置に係合保持するための係合突部２０ａ、２０ａ、２１ａ、２１ａを各突設させてある。
【００２２】
尚、図１及び図４において、他方のプラグ９ａは、プラグフレーム２２にツマミ１を組み込んでなる既知の手操作着脱タイプを示している。
【００２３】
而して、上記構成としたプラグ抜去ツマミ１によれば、図４に示したように、プラグ９を当該ツマミ１のプラグ挿入孔１７へ所定向きに挿入し、この状態にて、接続アダプタ２のプラグ挿入用孔３に強制的に挿入すると、接続アダプタ２の一対の係合片２１、２１における先端の係合突部２１ａ、２１ａに、ツマミ１の係合解除機構７、７の先端における傾斜面７ｂ、７ｂが突き当り、押し込み力によって、係合片２１、２１はバネ性に抗して外側へ押し拡げられることにより係合突部２１ａ、２１ａは係合解除機構７、７上に乗り上がった後、係合片２１、２１のバネ性により傾斜面７ｃ、７ｃに沿って軸心方向へ滑動下降してプラグフレーム１４の係合溝部１６、１６に係合し、ツマミ１、プラグ９は接続アダプタ２に係合保持される。この時、フェルール１１は割スリーブ１９に嵌合され、他方のプラグ９ａにおけるフェルール２４と、各々の端面同志が突き合わせられた図１に示す状態に保持される。
【００２４】
図１の状態からプラグ９を抜き取るときは、指掛け片１ｂに指を掛け、ツマミ１に、プラグ９の抜き取り方向へ力を加えると、ツマミ本体１ａの先端に突設した係合解除機構７、７における傾斜面７ｃ、７ｃによって一対の係合片２１、２１が、バネ性に抗して外側へ押し拡げられることによって、先端の係合突部２１ａ、２１ａはプラグフレーム９の係合溝部１６、１６から脱出する。従って、この状態にて、ツマミ１、プラグ９に引き抜き力を与えれば、当該プラグ９はツマミ１と共に接続アダプタ２から抜き取ることができる。
【００２５】
また、既述したツマミ１は、プラグ９を軸方向において抜き差し自在であるから、ツマミ１を取り外した図３に示す状態にて、プラグ９を接続アダプタ２内に挿入すると、プラグフレーム１４の図３に示した前端部１６ｄ、１６ｄにより、一対の係合片２１、２１が押し拡げられることによって、係合突部２１ａ、２１ａと係合溝部１６、１６とが係合され、プラグ９は接続アダプタ２に挿入固定される。
【００２６】
即ち、光コネクタの接続損失等をテストする時には既述したツマミ１が用いられ、プラグ実装時には当該ツマミ１は使用されないのである。
【００２７】
尚、図１及び図４において、２５は他方のプラグ９ａのコイルスプリング、２６は光ファイバコードを各々示す。
【００２８】
【発明の効果】
本発明は、以上説明したように構成されているので、ツマミをプラグに挿入した状態では当該プラグが接続アダプタに対し抜き差し自在であるから、この状態にて接続損失等のテストを便利に行なうことができ、また、プラグは単独でも接続アダプタに挿入保持して実装できるので、各プラグ全てにツマミを組み込む必要がなくなって構成部品数及び製造工程数の低減化を図り得てプラグ自体を安価に製造することができる。
【図面の簡単な説明】
【図１】本発明に係るプラグ抜去ツマミの実施例を示す使用状態の縦断面図である。
【図２】同上プラグ抜去ツマミを示す説明図である。
【図３】プラグを示す一部断面した側面図である。
【図４】ツマミとプラグを接続アダプタに挿入する前の状態を示す縦断面図である。
【符号の説明】
１  ツマミ
１ａ  ツマミ本体
２  接続アダプタ
７  係合解除機構
９  プラグ
１１  フェルール
１４  プラグフレーム
１６  係合溝部
２１  係合片
２１ａ  係合突部
【図１】
0003625545.tif 000002
【図２】
0003625545.tif 000003
【図３】
0003625545.tif 000004
【図４】
0003625545.tif 000005